(57)【特許請求の範囲】
【請求項１】
上面が開口した断面Ｕ字状の周壁によって電線配索路を形成したプロテクタ本体と、前記プロテクタ本体に被せることでプロテクタ本体の上面開口を塞ぐ蓋体と、を有するワイヤハーネスプロテクタであって、
前記プロテクタ本体の周壁の側壁部内面の所定箇所に、前記電線配索路に配索される電線を該電線配索路の幅方向反対側に押し出して遠ざける押し出し片が突設され、
前記押し出し片が、前記電線配索路の急な曲がり部の内側に配設されるとともに、前記プロテクタ本体の周壁の側壁部内面から電線配索方向の上流側から下流側にかけて突出したバネ片として形成され、
前記急な曲がり部が、前記電線配索路のうち主となる電線配索路から分岐電線引出部内の電線配索路へかけての部分であり、
前記押し出し片の先端に分岐電線案内部が設けられ、その分岐電線案内部が、前記分岐電線引出部の幅方向中央に近い位置まで延ばされている
ことを特徴とするワイヤハーネスプロテクタ。
【請求項２】
前記分岐電線引出部の周壁が、前記主となる電線配索路を形成する周壁の低い位置に接続されていることを特徴とする請求項１に記載したワイヤハーネスプロテクタ。
【請求項３】
前記押し出し片が、前記分岐電線引出部の周壁より高い位置に設けられていることを特徴とする請求項２に記載したワイヤハーネスプロテクタ。
【請求項４】
前記分岐電線引出部の周壁が、前記主となる電線配索路を形成する周壁に斜めに接続されており、その鋭角側の接続部の内側の、前記主となる電線配索路を形成する周壁の側壁部内面に前記押し出し片が配設されることを特徴とする請求項２または３に記載したワイヤハーネスプロテクタ。
【請求項５】
前記押し出し片が、L字状に湾曲した羽根状のバネ片として形成されていることを特徴とする請求項１〜請求項４のいずれか一項に記載したワイヤハーネスプロテクタ。
【請求項６】
前記押し出し片の先端に、分岐電線を誘導する分岐電線案内部が設けられ、その分岐電線案内部が円筒状または円柱状に形成されていることを特徴とする請求項５に記載したワイヤハーネスプロテクタ。
【発明の詳細な説明】
【技術分野】
【０００１】
本発明は、ワイヤハーネスを保護するためのプロテクタに関するものである。
【背景技術】
【０００２】
ワイヤハーネスプロテクタは、一般的に、上面が開口した断面Ｕ字状の周壁によって電線配索路を形成したプロテクタ本体と、このプロテクタ本体に被せることでプロテクタ本体の上面開口を塞ぐ蓋体と、から構成されている。
【０００３】
この種のプロテクタの中に、急な曲がり部を有する経路で電線配索路を形成したものがある。例えば、ワイヤハーネスの幹線（主電線束）から枝線（分岐電線束）を分岐させる場合、分岐部分では急な曲がりで枝線を分岐電線引出部に配索する必要がある（特許文献１または特許文献２参照）。
【０００４】
【特許文献１】特開２００２−１０４４０号公報
【特許文献２】特開平９−１１８２０号公報
【発明の開示】
【発明が解決しようとする課題】
【０００５】
ところが、電線束を急な曲率で曲げた場合、特に低い位置にある分岐電線引出部に電線を配索するような場合、電線が最短ルートを通ろうとして、電線配索路の側壁部に乗り上げてしまい、蓋体を閉じる際に、乗り上げた電線を蓋体とプロテクタ本体で挟み込んでしまうおそれがある。また、そのような電線の乗り上げを避けるために、電線の分岐部の近傍を粘着テープを用いたテープ巻きで結束して、電線のばらけを防止する対策を採ることがあるが、そうした場合は、余計な作業が増える上に、ワイヤハーネス解体時に余計な解体手間が増えるという問題もあった。
【０００６】
本発明は、上述した事情に鑑みてなされたものであり、その目的は、電線配索作業時のプロテクタ本体と蓋体による電線の挟み込みを防止すると共に、プロテクタ内での電線分岐部の近傍へのテープ巻きを廃止して、易解体性を高めることのできるワイヤハーネスプロテクタを提供することにある。
【課題を解決するための手段】
【０００７】
前述した目的を達成するために、本発明に係るワイヤハーネスプロテクタは、下記（１）〜（６）を特徴としている。
（１）  上面が開口した断面Ｕ字状の周壁によって電線配索路を形成したプロテクタ本体と、前記プロテクタ本体に被せることでプロテクタ本体の上面開口を塞ぐ蓋体と、を有するワイヤハーネスプロテクタであって、
前記プロテクタ本体の周壁の側壁部内面の所定箇所に、前記電線配索路に配索される電線を該電線配索路の幅方向反対側に押し出して遠ざける押し出し片が突設され、
前記押し出し片が、前記電線配索路の急な曲がり部の内側に配設されるとともに、前記プロテクタ本体の周壁の側壁部内面から電線配索方向の上流側から下流側にかけて突出したバネ片として形成され、
前記急な曲がり部が、前記電線配索路のうち主となる電線配索路から分岐電線引出部内の電線配索路へかけての部分であり、
前記押し出し片の先端に分岐電線案内部が設けられ、その分岐電線案内部が、前記分岐電線引出部の幅方向中央に近い位置まで延ばされていること。
（２）  上記（１）の構成のワイヤハーネスプロテクタにおいて、
前記分岐電線引出部の周壁が、前記主となる電線配索路を形成する周壁の低い位置に接続されていること。
（３）  上記（２）の構成のワイヤハーネスプロテクタにおいて、
前記押し出し片が、前記分岐電線引出部の周壁より高い位置に設けられていること。
（４）  上記（２）または（３）の構成のワイヤハーネスプロテクタにおいて、
前記分岐電線引出部の周壁が、前記主となる電線配索路を形成する周壁に斜めに接続されており、その鋭角側の接続部の内側の、前記主となる電線配索路を形成する周壁の側壁部内面に前記押し出し片が配設されること。
（５）  上記（１）〜（４）のいずれかの構成のワイヤハーネスプロテクタにおいて、
前記押し出し片が、L字状に湾曲した羽根状のバネ片として形成されていること。
（６）  上記（５）の構成のワイヤハーネスプロテクタにおいて、
前記押し出し片の先端に、分岐電線を誘導する分岐電線案内部が設けられ、その分岐電線案内部が円筒状または円柱状に形成されていること。
【０００８】
上記（１）の構成のワイヤハーネスプロテクタによれば、押し出し片の作用により電線を電線配索路を構成する周壁の側壁部から遠ざけることができるので、電線配索作業時の電線の側壁部への乗り上げを回避することができ、蓋体を閉じた際の電線の挟み込みを有効に防ぐことができる。従って、電線をテープ巻きして、敢えてばらけないようにする必要がなく、テープ巻きの手間が減らせると共に、テープの省略によって省資源化が図れる。また、テープ巻きしないことにより、ワイヤハーネスの解体も容易にできるようになり、易解体性の向上も図れる。
また、上記（１）の構成のワイヤハーネスプロテクタによれば、押し出し片を、プロテクタ本体の周壁の側壁部内面から電線配索方向の上流側から下流側にかけて突出したバネ片として形成したので、弾力的に電線を側壁部から遠ざけることができる。また、押し出し片のバネ性により、電線を急に曲げる場合でも滑らかに電線を誘導することができる。
また、上記（１）の構成のワイヤハーネスプロテクタによれば、電線を急に曲げて配索する箇所では、曲がり部の内側で電線が最短ルートをとろうとして、側壁部に乗り上げるおそれが大きいが、押し出し片の作用により、電線の側壁部への乗り上げを回避することができるので、蓋体を閉じた際の電線の挟み込みを有効に防ぐことができる。
また、上記（１）の構成のワイヤハーネスプロテクタによれば、電線束の幹線から枝線を分岐する箇所では、分岐のための屈曲部の内側で電線が最短ルートをとろうとして、側壁部に乗り上げるおそれが大きいが、押し出し片の作用により、電線の側壁部への乗り上げを回避することができるので、蓋体を閉じた際の電線の挟み込みを有効に防ぐことができる。
上記（２）の構成のワイヤハーネスプロテクタによれば、分岐した枝線を幹線よりも低い位置で配索するような場合、分岐箇所で電線の側壁部への乗り上げがより発生しやすくなるが、押し出し片の作用によりそれを回避することができるので、蓋体を閉じた際の電線の挟み込みを有効に防ぐことができる。
上記（３）の構成のワイヤハーネスプロテクタによれば、押し出し片が分岐電線引出部の周壁より高い位置に設けられているので、より確実に電線の乗り上げ防止を図ることができる。
上記（４）の構成のワイヤハーネスプロテクタによれば、分岐した枝線をＵターン気味に屈曲させるような場合、その曲がり箇所の内側で電線の乗り上げが発生しやすくなるが、押し出し片の作用によりそれを回避することができるので、蓋体を閉じた際の電線の挟み込みを有効に防ぐことができる。
上記（５）の構成のワイヤハーネスプロテクタによれば、押し出し片をＬ字状に湾曲した羽根状のバネ片として形成したので、弾力的に電線を側壁部から遠ざけることができる。また、押し出し片のバネ性により、電線を急に曲げる場合でも滑らかに電線を誘導することができる。
上記（６）の構成のワイヤハーネスプロテクタによれば、押し出し片の先端に円筒状または円柱状の分岐電線案内部を設けたので、電線との接触面積を大きくとることができると共に、外周の曲面で電線を案内することができ、それにより、電線への圧力を減らして電線へのダメージを軽減することができる。
【発明の効果】
【０００９】
本発明によれば、電線配索作業時のプロテクタ本体と蓋体による電線の挟み込みを防止することができると共に、プロテクタ内での電線分岐部の近傍へのテープ巻きを廃止することができて、易解体性を高めることができる。
また、本発明によれば、押し出し片を、プロテクタ本体の周壁の側壁部内面から電線配索方向の上流側から下流側にかけて突出したバネ片として形成したので、弾力的に電線を側壁部から遠ざけることができる。また、押し出し片のバネ性により、電線を急に曲げる場合でも滑らかに電線を誘導することができる。
【００１０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１１】
以下、本発明に係る好適な実施形態を図面に基づいて詳細に説明する。
【００１２】
図１（ａ）および（ｂ）は実施形態のプロテクタの構成を示し、図１（ａ）は蓋体を開いた状態を示す平面図、そして図１（ｂ）は図１（ａ）のＩｂ矢視部の拡大斜視図である。
【００１３】
このワイヤハーネスプロテクタ１は、上面が開口した断面Ｕ字状の周壁によって電線配索路を形成したプロテクタ本体２と、プロテクタ本体２の上に被せることでプロテクタ本体２の上面開口を塞ぐ蓋体３とからなる。プロテクタ本体２と蓋体３はヒンジ４で連結されることで一体の樹脂成形部品として構成されており、ヒンジ４を屈曲させて蓋体３を回動させることにより、プロテクタ本体２と蓋体３を閉じた状態でロックできるようになっている。そして、両者をロックするために、プロテクタ本体２と蓋体３のヒンジ４から遠い箇所にロック手段６、７、８、９が設けられている。
【００１４】
このワイヤハーネスプロテクタ１には、ヒンジ４と反対側の側部に複数の分岐電線引出部１０が設けられており、プロテクタ本体２側には、分岐電線引出部１０の主要部（下側部分）を構成する深目の断面Ｕ字状の周壁１０Ａが設けられ、蓋体３側には、分岐電線引出部１０の残りの部分（上側部分）を構成する浅目の断面Ｕ字状の周壁１０Ｂが設けられている。
【００１５】
プロテクタ本体２側の分岐電線引出部１０の周壁１０Ａは、ワイヤハーネスＷの幹線Ｗａを収容する主たる電線配索路５を構成する周壁２Ａの側壁部に接続されている。この場合、分岐電線引出部１０の周壁１０Ａは、主となる電線配索路５を形成する周壁２Ａの低い位置に斜め（配索経路として見た場合にＵターン状）に接続されている。同様に、蓋体３側も、分岐電線引出部１０の周壁１０Ｂは、ワイヤハーネスＷの幹線Ｗａを収容する主たる電線配索路５を構成する周壁３Ａの側壁部に接続されている。分岐電線引出部１０には、主たる電線導出部５に連通する電線配索路が確保されている。尚、プロテクタ本体２と蓋体３は、ロックした際に、プロテクタ本体２の周壁２Ａ、１０Ａの上端に蓋体３の周壁３Ａ、１０Ｂの下端が突き合わさった状態となる。
【００１６】
また、プロテクタ本体２の周壁２Ａの側壁部内面の所定箇所には、主たる電線配索路５に配索されるワイヤハーネス（電線）Ｗを、電線配索路５の幅方向反対側に押し出して遠ざける押し出し片２０が突設されている。この押し出し片２０は、主となる電線配索路５から分岐電線引出部１０内の電線配索路へかけての部分、具体的には、分岐電線引出部１０の周壁１０Ａの鋭角側の接続部１２の内側の、主となる電線配索路５を形成する周壁２Ａの側壁部内面に配設されている。
【００１７】
この押し出し片２０は、プロテクタ本体２の周壁２Ａの側壁部内面から突出した後に電線配索方向の上流側から下流側にかけてＬ字状に湾曲した羽根状のバネ片として形成されている。即ち、プロテクタ本体２の周壁２Ａの側壁部内面に押し出し片２０の基端部２１が連結され、Ｌ字状の屈曲部２２を経て先端側２３を、分岐電線引出部１０の幅方向中央に近い位置まで延ばしている。先端部は分岐電線案内部２５となっており、分岐電線を誘導できるよう円筒状または円柱状に形成されている。また、この押し出し片２０は、分岐電線引出部１０の周壁１０Ａの側壁部上端よりも高い位置に設けられている。
【００１８】
次に作用を説明する。このワイヤハーネスプロテクタ１を使用する場合は、まず、プロテクタ本体２の主たる電線配索路５に、ワイヤハーネスＷの幹線Ｗａを収容し、幹線Ｗａから分岐する枝線Ｗｂを、各分岐電線引出部１０内の電線配索路に誘導して引き出す。
【００１９】
その際、Ｕターン状に分岐する箇所の曲がりの内側に押し出し片２０を設けているので、矢印Ａで示す部分のように、押し出し片２０の作用により電線（幹線Ｗａや枝線Ｗｂ）を、電線配索路５を構成する周壁２Ａの側壁部から遠ざけることができる。そのため、電線配索作業時の電線（幹線Ｗａや枝線Ｗｂ）の側壁部への乗り上げを回避することができ、蓋体３を閉じた際の電線（幹線Ｗａや枝線Ｗｂ）の挟み込みを防ぐことができる。
【００２０】
図２（ａ）および（ｂ）は本発明の実施形態の優位性を説明するための参考例を示す図である。尚、図２（ａ）は図１（ａ）と対応し、そして図２（ｂ）は図１（ｂ）と対応している。
【００２１】
この参考例として示すプロテクタ１００は、プロテクタ本体２と蓋体３とからなり、前述の押し出し片２０（図１（ａ）および（ｂ）参照）が無いだけで、あとの構成は前述のものと同様である。従って、同一構成要素には同一符号を付して説明を省略する。
【００２２】
押し出し片２０が無い参考例の場合、ワイヤハーネスＷの幹線Ｗａから枝線ＷｂをＵターン気味に屈曲させながら分岐する箇所では、矢印Ｃで示す箇所のように、分岐のための屈曲部の内側で電線が最短ルートをとろうとして、プロテクタ本体２の周壁２Ａ、１０Ａの側壁部に乗り上げるおそれが大きい。このように乗り上げた場合、蓋体３を閉じた際に蓋体３とプロテクタ本体２の間に電線を挟み込んでしまう可能性がある。
【００２３】
それに対し、本発明の実施形態のように押し出し片２０を設けることにより、押し出し片２０の作用によって電線（幹線Ｗａや枝線Ｗｂ）を、電線配索路５を構成する周壁２Ａの側壁部から遠ざけることができる。そのため、電線の側壁部への乗り上げを回避することができ、蓋体３を閉じた際の電線の挟み込みを有効に防ぐことができるようになる。特に、分岐した枝線Ｗｂを幹線Ｗａよりも低い位置で配索するような場合には、分岐箇所で電線の側壁部への乗り上げがより発生しやすくなるが、押し出し片２０の作用によりそれを回避することができるので、電線の挟み込みを防ぐことができ、作業性の向上が図れる。
【００２４】
この場合、図１（ｂ）に示すように、押し出し片２０が分岐電線引出部１０の周壁１０Ａより高い位置に設けられているので、より確実に電線の乗り上げ防止を図ることができる。また、押し出し片２０を羽根状のバネ片として形成しているので、弾力的に電線を側壁部から遠ざけることができる。また、押し出し片２０のバネ性により、電線を急に曲げる場合でも滑らかに電線を誘導することができる。
【００２５】
また、押し出し片の先端に円筒状または円柱状の分岐電線案内部２５を設けているので、電線との接触面積を大きくとることができると共に、外周の曲面で電線を案内することができ、それにより、電線への圧力を減らして電線へのダメージを軽減することができる。
【００２６】
また、図２（ａ）および（ｂ）に示すように、電線の乗り上げを防止するために分岐部の手前に、粘着テープＴを用いて、テープ巻きを施すことがあるが、本発明では、押し出し片２０によって電線の乗り上げが防止できるので、敢えてテープ巻きする必要がなくなり、テープ巻きの手間が減らせると共に、粘着テープの省略によって省資源化が図れる。また、テープ巻きしないことにより、ワイヤハーネスの解体も容易にできるようになり、易解体性の向上も図れる。
【００２７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２８】
例えば、上記実施形態では、Ｕターン状の分岐電線引出部１０がある場合に、その曲がり部の内側に押し出し片を設けていたが、分岐部以外の単純な急な曲がり部の内側に押し出し片を設けてもよい。そうした場合、電線を急に曲げて配索する際に、曲がり部の内側で電線が最短ルートをとろうとして、側壁部に乗り上げる問題を解決することができ、蓋体を閉じた際の電線の挟み込みを有効に防ぐことができる。
【００２９】
また、上記実施形態では、押し出し片が、プロテクタ本体の周壁の側壁部内面と、該側壁部に連設された底壁部の内面とに一体形成されたバネ片であったが、プロテクタ本体の周壁の側壁部内面のみに片持ち状に一体形成されたバネ片であってもよい。押し出し片がプロテクタ本体の周壁の側壁部内面のみに片持ち状に一体形成された構成の場合、押し出し片の可撓性がより高いため、電線に対するクッション性が高められ、よって電線へのダメージをより軽減できる。
【図面の簡単な説明】
【００３０】
【図１】本発明の実施形態のプロテクタの構成を示し、（ａ）は蓋体を開いた状態を示す平面図、そして（ｂ）は（ａ）のＩｂ矢視部の拡大斜視図である。
【図２】本発明の実施形態の優位性を説明するための参考例のプロテクタを示す図であり、（ａ）は蓋体を開いた状態を示す平面図、そして（ｂ）は（ａ）のＩＩｂ矢視部の拡大斜視図である。
【符号の説明】
【００３１】
１：ワイヤハーネスプロテクタ
２：プロテクタ本体
２Ａ：周壁
３：蓋体
５：主たる電線配索路
１０：分岐電線引出部
１０Ａ：周壁
２０：押し出し片
２５：分岐電線案内部
Ｗ：ワイヤハーネス
Ｗａ：幹線
Ｗｂ：枝線
【図１】
0005084019.tif 000002
【図２】
0005084019.tif 000003